(57)【要約】      （修正有）【課題】Ｌ字状をなす端子に接続された電線が下方に引っ張られることにより、端子接続部と電線接続部とを連結する連結部が変形することを抑制する。【解決手段】端子は、前後方向に延びる端子接続部１８と、前後方向と直交する上下方向に延び、上下方向に延びる電線２４の端末２４Ａに接続される電線接続部２０と、端子接続部と電線接続部とを連結する板状の連結部２２と、を有し、連結部は、端子接続部と連なり、前後方向に延出する第１連結部２２Ａと、第１連結部の延出端から電線接続部に向けて上下方向に延出する第２連結部２２Ｂと、第１連結部の側縁から、前後方向及び上下方向の双方と直交する第３方向に突出する突起部３０と、を有し、ハウジング１２の端子収容部３６の内壁のうち第３方向に対向する左右の内壁３８Ａには、突起部が収容される溝部４２が開口して設けられており、突起部は、溝部の内壁に、上下方向から当接可能に位置している。【選択図】図２
2020087730.tif 000002
【特許請求の範囲】
【請求項１】
端子と、前記端子が収容される端子収容部を有するハウジングと、を備えるコネクタであって、
前記端子は、第１方向に延びる端子接続部と、前記第１方向と直交する第２方向に延び、前記第２方向に延びる電線の端末に接続される電線接続部と、前記端子接続部と前記電線接続部とを連結する板状の連結部と、を有し、
前記連結部は、
前記端子接続部と連なり、前記第１方向に延出する第１連結部と、
前記第１連結部の延出端から前記電線接続部に向けて前記第２方向に延出する第２連結部と、
前記第１連結部の側縁から、前記第１方向及び前記第２方向の双方と直交する第３方向に突出する突起部と、を有し、
前記ハウジングの前記端子収容部の内壁のうち前記第３方向に対向する第３内壁には、前記突起部が収容される溝部が開口して設けられており、前記突起部は、前記溝部の内壁に、前記第２方向から当接可能に位置しているコネクタ。
【請求項２】
前記端子収容部は、前記第１方向に延びる筒状をなし、前記端子接続部が内部に収容される第１収容部を備え、
前記第１収容部の内壁のうち、前記第２方向に対向する第２内壁には、前記第２方向に弾性変位可能なロック部を有するランス部が設けられており、
前記端子接続部は、前記ロック部が挿通されるロック孔を有し、前記ロック部が前記ロック孔の内壁に当接することで、前記端子の前記第１方向への変位が抑制されており、
前記端子接続部を前記第１収容部の内部に収容する際に、前記ランス部の前記ロック部は、前記突起部が前記溝部に収容された状態で前記端子接続部の前記ロック孔が設けられている面と摺動し、前記第２方向に弾性変位する請求項１に記載のコネクタ。
【請求項３】
前記端子接続部は、後方に開口する形態とされており、
前記第１連結部は、前記端子接続部の後端開口縁のうち、前記第２方向において前記第２連結部側と反対側に位置する開口縁と連なっている請求項１又は請求項２に記載のコネクタ。
【請求項４】
前記突起部は、前記第１連結部の両側縁に一対設けられ、前記溝部は、一対の前記第３内壁に一対設けられている請求項１から請求項３のいずれか一項に記載のコネクタ。
【発明の詳細な説明】
【技術分野】
【０００１】
本明細書によって開示される技術は、コネクタに関する。
【背景技術】
【０００２】
従来のコネクタの一例として、下記特許文献１に記載のコネクタが知られている。このコネクタは、コネクタハウジングと、コネクタハウジングに対して後方から装着される端子金具とを備える。
【０００３】
端子金具は、前後両面が開口された筒状の形態であって前後方向に延出される本体部と、本体部の開口方向（延出方向）と略直角な方向に延出されて電線の端末に圧着接続される電線接続部と、本体部と電線接続部との間に介設されて本体部の後端から後方へ延出される連結部とを備え、側方から見ると全体として略Ｌの字をなしている。
【０００４】
コネクタハウジングは、縦長厚板状の収容部と、収容部の前面の上端部から前方へ突出するタワー部とから全体として略Ｌの字をなし、タワー部内には端子金具の本体部を挿入可能なキャビティが形成されている。各キャビティ内に挿入された端子金具の本体部は前後方向に沿って略水平姿勢で配される。
【先行技術文献】
【特許文献】
【０００５】
【特許文献１】特開２００８−１５２９９０号公報
【発明の概要】
【発明が解決しようとする課題】
【０００６】
電線が延出方向に引っ張られると、端子金具の連結部に負荷がかかり、連結部が変形、又は、破損する虞がある。
【課題を解決するための手段】
【０００７】
本明細書で開示されるコネクタは、端子と、前記端子が収容される端子収容部を有するハウジングと、を備えるコネクタであって、前記端子は、第１方向に延びる端子接続部と、前記第１方向と直交する第２方向に延び、前記第２方向に延びる電線の端末に接続される電線接続部と、前記端子接続部と前記電線接続部とを連結する板状の連結部と、を有し、前記連結部は、前記端子接続部と連なり、前記第１方向に延出する第１連結部と、前記第１連結部の延出端から前記電線接続部に向けて前記第２方向に延出する第２連結部と、前記第１連結部の側縁から、前記第１方向及び前記第２方向の双方と直交する第３方向に突出する突起部と、を有し、前記ハウジングの前記端子収容部の内壁のうち前記第３方向に対向する第３内壁には、前記突起部が収容される溝部が開口して設けられており、前記突起部は、前記溝部の内壁に、前記第２方向から当接可能に位置している。
【０００８】
連結部に設けられた突起部は、ハウジングの端子収容部に設けられた溝部の内壁に、第２方向から当接可能に位置しているため、例えば、第２方向に延在する電線が第２方向に引っ張られることにより、電線接続部が第２方向に引っ張られた際に、突起部がハウジングの溝部の内壁に当接することで、連結部が第２方向に引っ張られて、変形、破損することを抑制できる。
【０００９】
また、前記端子収容部は、前記第１方向に延びる筒状をなし、前記端子接続部が内部に収容される第１収容部を備え、前記第１収容部の内壁のうち、前記第２方向に対向する第２内壁には、前記第２方向に弾性変位可能なロック部を有するランス部が設けられており、前記端子接続部は、前記ロック部が挿通されるロック孔を有し、前記ロック部が前記ロック孔の内壁に当接することで、前記端子の前記第１方向への変位が抑制されており、前記端子接続部を前記第１収容部の内部に収容する際に、前記ランス部の前記ロック部は、前記突起部が前記溝部に収容された状態で前記端子接続部の前記ロック孔が設けられている面と摺動し、前記第２方向に弾性変位する構成としても良い。
【００１０】
端子接続部を第１収容部内に挿入する際に、端子接続部がランス部のロック部に接触する前に、端子の突起部は、ハウジングの溝部に収容されることとなる。これにより、端子接続部がランス部のロック部に接触する際に、ランス部のロック部は、端子接続部のロック孔が設けられている面に第２方向から弾性的に接触し、端子接続部を第２方向に変位させるように作用するが、このとき、突起部が溝部の内壁に第２方向から当接することで、端子接続部の第２方向への変位を抑制し、安定した姿勢で端子接続部を第１収容部内へ挿入することができる。
【００１１】
また、前記端子接続部は、後方に開口する形態とされており、前記第１連結部は、前記端子接続部の後端開口縁のうち、前記第２方向において前記第２連結部側と反対側に位置する開口縁と連なっている構成としても良い。
【００１２】
第１連結部は、端子接続部の後端開口縁のうち、第２連結部側と反対側に位置する開口縁と連なっていることから、第１連結部が、端子接続部の後端開口縁のうち、第２連結部側に位置する開口縁と連なっている場合と比較して、端子全体を第２方向に小型化できる。これに伴い、端子が収容されるハウジングの端子収容部も小型化できる。
【００１３】
また、前記突起部は、前記第１連結部の両側縁に一対設けられ、前記溝部は、一対の前記第３内壁に一対設けられている構成としても良い。
【００１４】
一対の突起部を一対の溝部の内壁に当接させることで、第１連結部の第２方向への変位をより強固に抑制できる。
【発明の効果】
【００１５】
本明細書に開示されるコネクタによれば、Ｌ字状をなす端子に接続された電線が下方に引っ張られることにより、端子接続部と電線接続部とを連結する連結部が変形、又は、破損することを抑制することができる。
【図面の簡単な説明】
【００１６】
【図１】側方から視た、端子が収容された状態におけるコネクタの一部断面図
【図２】コネクタの背面図
【図３】図１におけるＡ−Ａ断面図
【図４】側方から視た、端子が収容される途中の状態におけるコネクタの一部断面図
【図５】ハウジングの背面図
【図６】端子の側面図
【図７】端子の背面図
【図８】圧着前の端子の平面図
【発明を実施するための形態】
【００１７】
＜実施形態＞
図１から図８を参照して本実施形態を説明する。以降の説明では、図１から図８におけるＸ方向を前後方向（第１方向）の前方、Ｚ方向を上下方向（第１方向と直交する第２方向）の上方とし、Ｙ方向を左右方向（第１方向及び第２方向の双方と直交する第３方向）の右方とする。
【００１８】
本実施形態のコネクタ１０は、図１に示すように、Ｌ字状のハウジング１２と、ハウジング１２に収容されるＬ字状の端子１４と、リテーナ１６と、を備えている。
【００１９】
端子１４は、図６に示すように、前後方向に開口する方形筒状の端子接続部１８と、上下方向に延びる電線接続部２０と、端子接続部１８と電線接続部２０とを連結する板状の連結部２２と、を備えている。図６に示すように、電線２４の端末２４Ａは、電線接続部２０に圧着接続されており、電線２４は、電線接続部２０から下方に延びている。
【００２０】
連結部２２は、図６に示すように、端子接続部１８と連なり、端子接続部１８の後端開口縁２６から後方に延出する第１連結部２２Ａと、第１連結部２２Ａの後端（延出端）から下方に延出し、電線接続部２０と連なる第２連結部２２Ｂと、から構成されている。第１連結部２２Ａの左右側の側縁２８には、図７、図８に示すように、左方、及び、右方にそれぞれ突出する一対の突起部３０が設けられている。
【００２１】
第１連結部２２Ａは、図６に示すように、端子接続部１８の後端開口縁２６のうち、上下方向において第２連結部２２Ｂ側と反対側に位置する（即ち、上側に位置する）開口縁２６Ａと連なっている。これにより、第１連結部２２Ａが第２連結部２２Ｂ側に位置する（即ち、下側に地位する）開口縁２６Ｂと連なる場合と比較して、端子１４全体の上下方向の長さは、端子接続部１８の上下方向の長さ分小さくなり、端子１４を小型化することができる。これに伴い、端子１４が収容されるハウジング１２の後述する端子収容部３６も上下方向について小型化することができる。
【００２２】
図８に示すように、端子接続部１８の上面（ロック孔が設けられている面）３２には、後述するハウジング１２のランス部４４のロック部４４Ａが挿通されるロック孔３２Ａが開口して設けられている。
【００２３】
ハウジング１２は、図１、図４に示すように、全体としてＬ字状をなし、後方に開口する後方開口部３４を有する端子収容部３６を備えており、端子１４は、後方開口部３４を通して端子収容部３６の内部に後方から収容される。端子収容部３６は、図１に示すように、前後方向に延び、端子１４の端子接続部１８及び連結部２２が内部に収容される方形筒状の第１収容部３８と、上下方向に延び、第１収容部３８の後端側から下方に突出して設けられており、端子１４の電線接続部２０が内部に収容される第２収容部４０と、から構成されており、第１収容部３８の内部と第２収容部４０の内部とは互いに連通している。
【００２４】
図１、図４に示すように、第１収容部３８は、前方と後方の双方に開口しており、第１収容部３８の前方の開口からは、図示しない相手側端子が挿通され、相手側端子は、端子１４の端子接続部１８の内部に嵌合される。第２収容部４０は、下方と後方の双方に開口しており、第２収容部４０の下方の開口からは、電線２４が挿通される。
【００２５】
第１収容部３８は、上下方向に対向する一対の内壁（第２内壁）３８Ｂと、左右方向に対向する一対の内壁（第３内壁）３８Ａと、を有している。第１収容部３８の左右両側の内壁（第３内壁）３８Ａには、図１から図３に示すように、前後方向に延びる一対の溝部４２が設けられている。溝部４２の後端は後方開口部３４に位置している。溝部４２は第１収容部３８内から左右両側に凹んだ有底の凹部とされ、かつ後方にも開口して設けられている。一対の溝部４２には、端子１４の一対の突起部３０が後方開口部３４を通して後方から収容される。
【００２６】
図１、図４に示すように、第１収容部３８の上側の内壁（第２内壁）３８Ｂの前端部には、前方に片持ち状に突出するランス部４４が設けられている。ランス部４４の前端部には、下方に突出するロック部４４Ａが設けられている。端子１４の端子接続部１８が第１収容部３８内に後方から収容されると、ランス部４４のロック部４４Ａと、端子接続部１８の上面３２とが摺動しながら、ランス部４４のロック部４４Ａは上方に変位し、ランス部４４のロック部４４Ａは、端子接続部１８の上面３２に設けられたロック孔３２Ａに挿通される。ランス部４４のロック部４４Ａがロック孔３２Ａに挿通されると、ランス部４４は元の位置に復元し、ランス部４４のロック部４４Ａは、ロック孔３２Ａの内壁に当接可能に位置する。これにより、端子１４が後方に変位すると、ロック孔３２Ａの内壁がランス部４４のロック部４４Ａに前方から当接し、端子１４の後方への抜け止めがなされる。
【００２７】
第１収容部３８の上面には、図１に示すように、後方に向けて片持ち状に突出するロックアーム４６が設けられており、ロックアーム４６は、図示しない相手側ハウジングと嵌合される際に、下方に弾性変位し、相手側ハウジングの図示しない凸部に係合される。ここで、ランス部４４が上方向Ｄ１に弾性変位した際の、ランス部４４の前端部と、ロックアーム４６が下方向Ｄ２に弾性変位した際の、ロックアーム４６の後端部とは、上下方向の範囲Ｒについて、一部重なるようになっている。これにより、ハウジング１２の上下方向のサイズの小型化が図られる。
【００２８】
図１、図４に示すように、端子１４をハウジング１２に収容する際は、端子１４の突起部３０は、ハウジング１２の溝部４２に後方から挿通される。図４に示すように、端子１４の突起部３０は、溝部４２の後端側に位置するときは、端子１４の端子接続部１８の上面３２の前端は、第１収容部３８のランス部４４のロック部４４Ａよりも後方に位置している。さらに、端子１４の端子接続部１８を前方に変位させると、ランス部４４のロック部４４Ａと端子接続部１８の上面３２とが摺動し、ランス部４４が上方に変位することとなる。このとき、ランス部４４の反力により端子接続部１８の前端側は下方に押され、端子接続部１８の後端側が上方に変位しようとする。しかしながら、端子１４の突起部３０は溝部４２に収容された状態になっていることから、端子１４の突起部３０が溝部４２の内壁に下方から当接し、端子接続部１８が上方に変位することが抑制される。これにより、安定した姿勢で端子接続部１８を第１収容部３８内へ挿入することができる。
【００２９】
端子１４がハウジング１２の端子収容部３６に収容された状態において、電線２４が下方に引っ張られると、第１連結部２２Ａに設けられた一対の突起部３０が第１収容部３８の一対の溝部４２の内壁に上方から当接することにより、第１連結部２２Ａが下方に変位することが抑制され、連結部２２が変形、破損することが抑制される。ここで、端子１４の突起部３０は左右一対設けられていることから、突起部が左右のいずれか一つのみ設けられている構成と比較して、第１連結部２２Ａの下方への変位をより強固に抑制できる。
【００３０】
以上のように本実施形態によれば、連結部２２に設けられた突起部３０は、ハウジング１２の端子収容部３６に設けられた溝部４２の内壁に、上下方向（第２方向）から当接可能に位置しているため、例えば、上下方向（第２方向）に延在する電線２４が上下方向（第２方向）に引っ張られることにより、電線接続部２０が上下方向（第２方向）に引っ張られた際に、突起部３０がハウジング１２の溝部４２の内壁に当接することで、連結部２２が上下方向（第２方向）に引っ張られて、変形、破損することを抑制できる。
【００３１】
また、端子接続部１８を第１収容部３８内に挿入する際に、端子接続部１８がランス部のロック部４４Ａに接触する前に、端子１４の突起部３０は、ハウジング１２の溝部４２に収容されることとなる。これにより、端子接続部１８がランス部４４のロック部４４Ａに接触する際に、ランス部４４のロック部４４Ａは、端子接続部１８のロック孔３２Ａが設けられている上面（面）３２に上下方向（第２方向）から弾性的に接触し、端子接続部１８を上下方向（第２方向）に変位させるように作用するが、このとき、突起部３０が溝部４２の内壁に上下方向（第２方向）から当接することで、端子接続部１８の上下方向（第２方向）への変位を抑制し、安定した姿勢で端子接続部１８を第１収容部３８内へ挿入することができる。
【００３２】
また、第１連結部２２Ａは、端子接続部１８の後端開口縁２６のうち、第２連結部２２Ｂ側と反対側に位置する開口縁２６Ａと連なっていることから、第１連結部２２Ａが、端子接続部１８の後端開口縁２６のうち、第２連結部２２Ｂ側に位置する開口縁２６Ｂと連なっている場合と比較して、端子１４全体を上下方向（第２方向）に小型化できる。これに伴い、端子１４が収容されるハウジング１２の端子収容部３６も小型化できる。
【００３３】
また、一対の突起部３０を一対の溝部４２の内壁に当接させることで、第１連結部２２Ａの上下方向（第２方向）への変位をより強固に抑制できる。
【００３４】
＜他の実施形態＞
本明細書によって開示される技術は上記記述及び図面によって説明した実施形態に限定されるものではなく、例えば次のような種々の態様も含まれる。
（１）上記実施形態では、端子１４の突起部３０は一対設けられる構成としたが、１つのみ設けられる構成としても良い。
（２）上記実施形態では、ハウジング１２の端子収容部３６は、第１収容部３８及び第２収容部４０からなる構成としたが、例えば、第２収容部を設けない構成とし、端子の電線接続部が外部に露出している構成としても良い。
（３）上記実施形態では、ランス部４４は、第１収容部３８の上側の内壁３８Ｂの前端部に設けられる構成としたが、第１収容部の下側の内壁、又は、左右両側の内壁のいずれか一方に設ける構成としても良い。この場合、端子接続部のロック孔も、ランス部と対応する位置に設けられる構成とする。
【符号の説明】
【００３５】
１０：コネクタ
１２：ハウジング
１４：端子
１８：端子接続部
２０：電線接続部
２２：連結部
２２Ａ：第１連結部
２２Ｂ：第２連結部
２４：電線
２４Ａ：端末
２６：後端開口縁
２６Ａ，２６Ｂ：開口縁
２８：側縁
３０：突起部
３２：上面（ロック孔が設けられている面）
３２Ａ：ロック孔
３６：端子収容部
３８：第１収容部
３８Ａ：内壁（第３内壁）
３８Ｂ：内壁（第２内壁）
４２：溝部
４４：ランス部
４４Ａ：ロック部
【図１】
2020087730.tif 000003
【図２】
2020087730.tif 000004
【図３】
2020087730.tif 000005
【図４】
2020087730.tif 000006
【図５】
2020087730.tif 000007
【図６】
2020087730.tif 000008
【図７】
2020087730.tif 000009
【図８】
2020087730.tif 000010